(57)【要約】【課題】ダーツボードを備える高さ位置を極めて簡単に変更することができるダーツボードスタンドを提供する。【解決手段】ストッパ軸３３を例えばストッパ切欠き４５に嵌めて、その終端部分に保持させれば、保持ベース３１は、その上昇が規制されて静止させられる。ストッパ切欠き４５の終端部分が本体３の下端から１７３ｃｍの距離となる位置に備えられており、しかもダーツボード３５は、その中心がストッパ軸３３に重なる位置に支持されているので、ダーツボード３５の中心は本体３の下端（床面等）から１７３ｃｍの高さに位置する。また、ストッパ軸３３を例えばストッパ切欠き５３に嵌めて、その終端部分に保持させれば、ストッパ切欠き５３の終端部分が本体３の下端から１３３ｃｍの距離となる位置に備えられているので、ダーツボード３５の中心は本体３の下端（床面等）から１３３ｃｍの高さに位置する。【選択図】        図１
2012149860.tif 000002
【特許請求の範囲】
【請求項１】
床面等に設置される本体と、前記本体に水平姿勢で設けられた横架部材と、前記横架部材に両端部が垂れ下がる状態に掛けられた柔軟性を有する垂下部材と、前記垂下部材の前記横架部材を境にして一端側に固定された保持ベースと、前記垂下部材の前記横架部材を境にして他端側に備えられ前記保持ベースにダーツボードを保持させた状態で保持ベースが上昇する方向の付勢力が生じるように設定できるウエイト手段と、前記保持ベースの上昇を複数ある所定位置で規制して静止させる保持ベース静止手段を具備することを特徴とするダーツボードスタンド。
【請求項２】
請求項１に記載したダーツボードスタンドにおいて、ウエイト手段は垂下部材の他端部に設けられた袋状部と、前記袋状部に入れられた複数のウエイトとによって構成され、前記袋状部に収容するウエイトの数を変えることによって重量を増減することを特徴とするダーツボードスタンド。
【請求項３】
請求項１または２に記載したダーツボードスタンドにおいて、垂下部材は帯状であることを特徴とするダーツボードスタンド。
【請求項４】
請求項１から３のいずれかに記載したダーツボードスタンドにおいて、保持ベース静止手段が保持ベースを静止させる位置は、前記保持ベースの中心が本体の下端から１７３ｃｍの距離となる位置と１３３ｃｍと距離となる位置の少なくとも２つあることを特徴とするダーツボードスタンド。
【発明の詳細な説明】
【技術分野】
【０００１】
本発明はダーツボードスタンドに係り、特にダーツボードを備える高さを変更することができるダーツボードスタンドに関するものである。
【背景技術】
【０００２】
ダーツゲームに使用するダーツボードは特許文献１に示すように壁に対し金具を介して取り付けることが多い。
ところが壁がコンクリートで金具を容易に取り付けることができない場合や、壁にある程度の重量をもつダーツボードを支持するほどの強度がない場合等、ダーツボードを支持することができないことも少なくない。また、金具を取り付けるために、壁に穴を開けると補修が必要となる場合もある。
そこで、特許文献２に記載されたダーツボードスタンドがあり、このダーツボードスタンドを用いれば、適当な壁がなくてもダーツボードを支持することができる。
【０００３】
ところで、ダーツ競技では、ダーツボードを、床面からダーツボードの中心まで１７３ｃｍの高さに備える必要がある。また、車椅子を使用する障害者のダーツ競技では、ダーツボードの高さを床面から１３３ｃｍの高さに備える必要がある。
更に、ダーツ競技を行わない場合でも、ダーツボードを置く場所の都合や椅子に座ったままダーツゲームを楽しむ場合など、ダーツボードを備える高さを変えたいこともある。
【先行技術文献】
【特許文献】
【０００４】
【特許文献１】特開２００９−２２６１２８
【特許文献２】実開平７−１７２６８
【発明の概要】
【発明が解決しようとする課題】
【０００５】
しかしながら、特許文献２のダーツボードスタンドでは、ダーツボードを備える高さを変更するができないという問題がある。
なお、ダーツボードを壁に金具を介して支持した場合には、金具からダーツボードを外し、更に金具を壁から外して、金具を壁に付け直す必要があり、ダーツボードの取り付け作業のやり直しを余儀なくされることになる。
本発明は上記従来の問題点に着目して為されたものであり、ダーツボードを備える高さを極めて簡単に変更することができるダーツボードスタンドの提供を、その目的とする。
【課題を解決するための手段】
【０００６】
本発明は上記課題を解決するためになされたものであり、請求項１の発明のダーツボードスタンドは、床面等に設置される本体と、前記本体に水平姿勢で設けられた横架部材と、前記横架部材に両端部が垂れ下がる状態に掛けられた柔軟性を有する垂下部材と、前記垂下部材の前記横架部材を境にして一端側に固定された保持ベースと、前記垂下部材の前記横架部材を境にして他端側に備えられ前記保持ベースにダーツボードを保持させた状態で保持ベースが上昇する方向の付勢力が生じるように設定できるウエイト手段と、前記保持ベースの上昇を複数ある所定位置で規制して静止させる保持ベース静止手段を具備することを特徴とするものである。
【０００７】
請求項２の発明のダーツスタンドは、請求項１に記載したダーツボードスタンドにおいて、ウエイト手段は垂下部材の他端部に設けられた袋状部と、前記袋状部に入れられた複数のウエイトとによって構成され、前記袋状部に収容するウエイトの数を変えることによって重量を増減することを特徴とするものである。
【０００８】
請求項３のダーツスタンドは、請求項１または２に記載したダーツボードスタンドにおいて、垂下部材は帯状であることを特徴とするものである。
【０００９】
請求項４の発明のダーツスタンドは、請求項１から３のいずれかに記載したダーツボードスタンドにおいて、保持ベース静止手段が保持ベースを静止させる位置は、前記保持ベースの中心が本体の下端から１７３ｃｍの距離となる位置と１３３ｃｍと距離となる位置の少なくとも２つあることを特徴とするものである。
【発明の効果】
【００１０】
本発明のダーツボードスタンドによれば、ダーツボードを備える高さ位置を極めて簡単に変更することができるようになる。
【図面の簡単な説明】
【００１１】
【図１】本発明の実施の形態に係るダーツボードスタンド斜視図である。
【図２】図１のダーツボードスタンドの上半部の側面図であり、保持ベースに保持されたダーツボードの高さ位置を変える様子を説明するための図である。
【図３】図１のダーツボードスタンドの上半部の背面図であり、保持ベースに保持されたダーツボードの高さ位置を変える様子を説明するための図である。
【発明を実施するための形態】
【００１２】
本発明の実施の形態に係るダーツボードスタンド１を図面にしたがって説明する。
符号３は本体を示し、この本体３は金属製の角パイプ等によって構成される設置部５と垂直部７とから成る。
【００１３】
設置部５の構成について説明する。
符号９は一対の支持脚を示し、この支持脚９は両端部を下方へ曲げられた形状で、その両端部にはアジャスターパッド１３が螺合されている。一対の支持脚９には立設フレーム１１が渡設された状態で固定されている。立設フレーム１１の上端部は前方に曲げられて水平方向へ張り出しており、この張り出した部分に載置板１５が固定されている。また、立設フレーム１１の途中部分には水平方向へ張り出す一対の支持部１７が固定され、支持部１７上には載置板１９が固定され設けられている。
設置部５は以上のように構成されている。
【００１４】
また、符号２１はアクリル樹脂製の透明板を示し、この透明板２１は載置板１５と載置板１９に図示しないブラケットを介して渡設されている。
設置部５の立設フレーム１１には、垂直部７が固定されている。
【００１５】
垂直部７の構成について説明する。
符号２３は矩形フレームを示し、この矩形フレーム２３の上端部には丸棒状の横架部材２５が水平姿勢で設けられている。横架部材２５の上方には矩形フレーム２３を構成する丸棒状のフレーム構成材２７が位置しており、横架部材２５とフレーム構成材２７との間には僅かな隙間が開いている。フレーム構成材２７によってガイド部材が構成されている。
【００１６】
符号２９は垂下部材を示し、この垂下部材２９はある程度の柔軟性をもつ布製で、帯状に形成されている。垂下部材２９は横架部材２５に両端部が垂れ下がる状態に掛けられている。
垂下部材２９の横架部材２５を境にして一端側に、矩形の平板から成る保持ベース３１が固定されている。保持ベース３１にはダーツボード３５を所定位置に保持するための図示しない保持具が設けられている。更に保持ベース３１にはストッパ軸３３が設けられており、このストッパ軸３３は保持ベース３１の左右の両側面から突出している。左右のストッパ軸３３は、保持ベース３１の上下方向の中心に備えられている。また、保持ベース３１の下端部には把手３４が設けられている。
【００１７】
垂下部材２９の他端部には袋状部３７が設けられ、この袋状部３７の開口はファスナー３８によって開閉できるようになっている(図３参照)。また袋状部３７には平板状のウエイト３９が収容される。これら袋状部３７とウエイト３９によってウエイト手段が構成されている。袋状部３７には複数のウエイト３９を収容でき、袋状部３７に入れるウエイト３９の数を変えることによって重量を増減することができる。
【００１８】
矩形フレーム２３の左右両側面には切欠きプレート４１が固定されている。この切欠きプレート４１の前端面には上下方向へ長く延びるガイド切欠き４３が形成され、更にガイド切欠き４３に連なる５つのストッパ切欠き４５、４７、４９、５１、５３が形成されている。ストッパ切欠き４５、４７、４９、５１、５３は終端側（閉鎖側）が斜め上方を向くように形成されている。
【００１９】
最も高い位置（最も本体３の下端から離れた位置）に設けられたストッパ切欠き４５の終端部分は、本体３の下端から１７３ｃｍの距離となる位置に備えられている。また、ストッパ切欠き４７、４９、５１、５３は、ストッパ切欠き４５から本体３の下端へ向かって１０ｃｍ間隔で配置されている。
【００２０】
前述のようにストッパ切欠き４５の終端部分は、本体３の下端から１７３ｃｍの距離となる位置に備えられており、しかもダーツボード３５は、その中心がストッパ軸３３に重なる位置に支持されているので、ダーツボード３５の中心は本体３の下端（床面等）から１７３ｃｍの高さに位置することになる。
前述のようにストッパ切欠き４５、４７、４９、５１、５３は１０ｃｍ間隔で備えられているので、最も低い位置（最も本体３の下端に近い位置）のストッパ切欠き５３の終端部分は本体３の下端から１３３ｃｍの距離となる位置に備えられている。
【００２１】
保持ベース静止手段は、ストッパ軸３３、切欠きプレート４１、この切欠きプレート４１に形成されたストッパ切欠き４５、４７、４９、５１、５３によって構成されている。
矩形フレーム２３の下端部には、上面に複数の穴が形成された平板から成る矢立て５５が固定されている。この矢立て５５には投げ矢５７が立てられる。
【００２２】
次にこのダーツボードスタンド１の使用方法について説明する。
ダーツボードスタンド１を室内の床面等に設置して、保持ベース３１に図示しない保持具によってダーツボード３５を取り付ける。この保持具はダーツボード３５を、その中心がストッパ軸３３に重なる位置に支持する。
袋状部３７に入れるウエイト３９の数を変えて重量を増減することによって、保持ベース３１にダーツボード３５を保持させた状態で保持ベース３１が上昇する方向の付勢力が生じるように設定する。この際、保持ベース３１が上昇する方向の付勢力があまり大きくならないように調整する。
【００２３】
次いで、把手３４を掴んで保持ベース３１を上下方向に動かし、ストッパ軸３３を例えばストッパ切欠き４５に嵌めて、その終端部分に保持させる。これにより、保持ベース３１は、その上昇が規制されて静止させられる。
上記のように保持ベース３１が上昇する方向の付勢力があまり大きくならないように調整してあるので、把手３４を掴んで軽く保持ベース３１を引き下げることができる。
前述のようにストッパ切欠き４５の終端部分が本体３の下端から１７３ｃｍの距離となる位置に備えられており、しかもダーツボード３５は、その中心がストッパ軸３３に重なる位置に支持されているので、ダーツボード３５の中心は本体３の下端（床面等）から１７３ｃｍの高さに位置することになる。
【００２４】
ダーツボード３５の高さ位置を変更する場合には、把手３４を掴んで保持ベース３１を引き下げて、ストッパ軸３３を例えばストッパ切欠き５３に嵌めて、その終端部分に保持させる。これにより、保持ベース３１は、その上昇が規制されて静止させられる。
前述のようにストッパ切欠き５３の終端部分が本体３の下端から１３３ｃｍの距離となる位置に備えられており、しかもダーツボード３５は、その中心がストッパ軸３３に重なる位置に支持されているので、ダーツボード３５の中心は本体３の下端（床面等）から１３３ｃｍの高さに位置することになる。
【００２５】
上記と同様にして、ストッパ軸３３をストッパ切欠き４７、４９、５１、５３に嵌めて、その終端部分に保持させることにより、保持ベース３１に保持されたダーツボード３５の高さ位置を変更することができる。
上記したように、ダーツボードスタンド１によれば、保持ベース３１の上下に動作させて、ストッパ軸３３をストッパ切欠き４５、４７、４９、５１、５３に嵌めるだけで、保持ベース３１の高さ位置を変更することが可能である。従って、ダーツボード３５を備える高さ位置を極めて簡単に変更することができる。
よって、大人と子供、健常者と車椅子を使用している障害者など、ダーツボードの高さが違う競技者に応じて、ダーツボード３５を備える高さ位置を変更する場合に特に便利である。
【００２６】
なお、載置板１９には例えば液晶テレビのディスプレイ５９を載置する。ディスプレイ５９の前方には透明板２１が備えられているので、投じた投げ矢５７がダーツボード３５からそれても、ディスプレイ５９に当たるのを防止でき、ディスプレイ５９が破損するのを防ぐことが可能である。
【００２７】
以上、本発明の実施の形態について詳述してきたが、具体的構成は、この実施の形態に限られるものではなく、本発明の要旨を逸脱しない範囲における設計の変更などがあっても発明に含まれる。
例えば、垂下部材は帯状でなくてもよく、紐状であってもよい。
また、上記実施の形態では、保持ベース３１の高さを五段階に変更できるようにしたが、本発明はこれに限定されず、五段階以外でもよい。即ち、二段階から四段階、六段階以上でもよい。
【産業上の利用可能性】
【００２８】
本発明のダーツボードスタンドはダーツボードスタンド製造業において利用可能性を有している。
【符号の説明】
【００２９】
１…ダーツボードスタンド                  ３…本体
５…設置部                                ７…垂直部
９…支持脚                              １１…立設フレーム
１３…アジャスターパッド                  １５…載置板
１７…支持部                              １９…載置板
２１…透明板                              ２３…矩形フレーム
２５…横架部材                            ２７…フレーム構成材
２９…垂下部材                            ３１…保持ベース
３３…ストッパ軸                          ３４…把手
３５…ダーツボード
３７…袋状部                              ３８…ファスナー
３９…ウエイト                            ４１…切欠きプレート
４３…ガイド切欠き
４５、４７、４９、５１、５３…ストッパ切欠き    ５５…矢立て
５７…投げ矢                              ５９…ディスプレイ
【図１】
2012149860.tif 000003
【図２】
2012149860.tif 000004
【図３】
2012149860.tif 000005